(57)【要約】【課題】手乾燥室へ手を挿入する際に指先を下方に向けやすく、噴流のエネルギーと重力を利用して、効率よく手乾燥を実施でき、かつ噴流の運動エネルギーを効率よく生かすために、手を噴流に略垂直に当てた際にも、重力により使用者の手首側に水滴が移動せず衣類が濡れることを防止できる手乾燥装置を提供することを目的とする。【解決手段】手乾燥室１２と、手乾燥室１２の上部に設けられ、手に向かって噴流１３を吹出す複数の吹出し口１５と、空気を取り入れる吸込み口１６と、吸込み口１６と複数の吹出し口１５を連通する流路１７と、流路１７に設けられた高圧空気発生手段１８とを備えてなる手乾燥装置１１において、複数の吹出し口１５から吹出す噴流１３の吹出し方向が手挿入側であり、手挿入側から手乾燥室１２の奥側に向かうに従い下方に傾斜して設けられた、複数の吹出し口１５より手挿入側の手乾燥室１２の上部斜面３１を備える。【選択図】図１
2011130944.tif 000002
【特許請求の範囲】
【請求項１】
手を挿入できる開口を有する手乾燥室と、前記手乾燥室に設けられ、前記手乾燥室に挿入された手に向かって昇圧された高圧空気を噴流として吹出す複数の吹出し口と、空気を取り入れる吸込み口と、前記吸込み口と前記複数の吹出し口を連通する流路と、前記吸込み口と前記複数の吹出し口の間に設けられ、前記空気を昇圧して前記高圧空気を生み出す高圧空気発生手段とを備えてなる手乾燥装置において、前記複数の吹出し口が前記手乾燥室の上部に設けられ、前記複数の吹出し口から吹出す噴流の吹出し方向が手挿入側であり、前記複数の吹出し口より手挿入側の前記手乾燥室の上部の面が、手挿入側から前記手乾燥室の奥側に向かうに従い下方に傾斜していることを特徴とする手乾燥装置。
【請求項２】
手を挿入できる開口を有する手乾燥室と、前記手乾燥室に設けられ、前記手乾燥室に挿入された手に向かって昇圧された高圧空気を噴流として吹出す複数の吹出し口と、空気を取り入れる吸込み口と、前記吸込み口と前記複数の吹出し口を連通する流路と、前記吸込み口と前記複数の吹出し口の間に設けられ、前記空気を昇圧して前記高圧空気を生み出す高圧空気発生手段とを備えてなる手乾燥装置において、前記複数の吹出し口が前記手乾燥室の前記開口より下部に設けられ、前記複数の吹出し口から吹出す前記噴流の吹出し方向が手挿入側と反対側であり、前記複数の吹出し口の設けられた前記手乾燥室の前記開口より下部の面が、手挿入側から前記手乾燥室の奥側に向かうに従い下方に傾斜していることを特徴とする手乾燥装置。
【請求項３】
吸込み口を手乾燥室の内壁面に設けたことを特徴とする請求項１または２いずれかに記載の手乾燥装置。
【請求項４】
複数の吹出し口と対向する位置に水受け手段を設けたことを特徴とする請求項１乃至３いずれかに記載の手乾燥装置。
【請求項５】
水受け手段が複数の吹出し口から吹出す噴流の吹出し方向に対して略垂直に設けられたことを特徴とする請求項１乃至４いずれかに記載の手乾燥装置。
【請求項６】
複数の吹出し口から吹出す噴流の吹出し方向が、手乾燥装置の両側壁面の中央面に略集中するように前記複数の吹出し口を配置したことを特徴とする請求項１乃至５いずれかに記載の手乾燥装置。
【請求項７】
複数の吹出し口が手乾燥装置の両側壁面の中央面を折り返し面としてＶ字形状に配置されたことを特徴とする請求項６に記載の手乾燥装置。
【請求項８】
複数の吹出し口が手乾燥装置の両側壁面の中央面に対して対称に配置されたことを特徴とする請求項６または７いずれかに記載の手乾燥装置。
【請求項９】
複数の吹出し口から吹出す噴流が振動することを特徴とする請求項１乃至８いずれかに記載の手乾燥装置。
【請求項１０】
噴流の振動方向が手挿入方向に対して略垂直であることを特徴とする請求項９に記載の手乾燥装置。
【請求項１１】
噴流の振動数が２０Ｈｚ以上であることを特徴とする請求項９または１０に記載の手乾燥装置。
【請求項１２】
複数の吹出し口と高圧空気発生手段との間に、可動部材で構成されるノズルと、前記ノズルを振動させるための駆動手段で構成された可動ノズルを設けたことを特徴とする請求項９乃至１１いずれかに記載の手乾燥装置。
【請求項１３】
複数の吹出し口と高圧空気発生手段との間に、高圧空気を取り入れる流入口と、高圧空気の流れに対し垂直方向の断面が略長方形で外部に向けて拡大する流出口と、前記流入口から前記流出口を連通する略長方形の主流路と、前記主流路の長辺側の片面から分岐して、反対側の前記主流路の長辺側の面に連通する循環風路部とを備えて、前記流出口から吹出す噴流を前記主流路の短辺方向に振動させる流体素子ノズルを設けたことを特徴とする請求項９乃至１１いずれかに記載の手乾燥装置。
【請求項１４】
流体素子ノズルの循環風路部が、手乾燥装置の本体内に配置されたことを特徴とする請求項１３に記載の手乾燥装置。
【請求項１５】
流体素子ノズルの循環風路部が、手乾燥装置の表面パネルと高圧空気発生手段との間に配置されたことを特徴とする請求項１４に記載の手乾燥装置。
【発明の詳細な説明】
【技術分野】
【０００１】
本発明は、手乾燥装置に関するものである。
【背景技術】
【０００２】
従来、この種の手乾燥装置は、噴流により水滴を手から剥離させ、手の乾燥をする方式としたものが知られている（例えば、特許文献１参照）。
【０００３】
以下、その手乾燥装置の一例について図６を参照しながら説明する。
【０００４】
図６に示すように、手乾燥装置１０１は、外部に向って開口した挿入口１０２から手を抜き差しできる手乾燥室１０３を有し、この手乾燥室１０３に挿入される手に対して高圧空気発生部１０４により生成される噴流を吹き当てて、噴流の運動エネルギーにより手に付着した水分を払拭するように構成したもので、手乾燥室１０３を前方に挿入口１０２を有する前後方向の空間として構成し、その下方には水受け部１０５を構成し、かつ手乾燥室１０３へ上側から下向きに奥側に向って５度から３０度の吹出し角度をもって上記噴流を吹出させたことを特徴としている。
【先行技術文献】
【特許文献】
【０００５】
【特許文献１】特開２００４−７１６号公報
【発明の概要】
【発明が解決しようとする課題】
【０００６】
このような従来の手乾燥装置においては、噴流の方向が手乾燥室へ上側から下向きに奥側に向って５度から３０度の吹出し角度をもっているため、手乾燥室へ手を挿入する際に噴流が手に当たりにくくなるため指先を下方に向けることが難しく、手乾燥室へ手を水平に挿入せねばならず、噴流の運動エネルギーしか利用できず、重力を手乾燥に効率よく生かせないという課題があった。また、噴流のエネルギーを効率よく利用するためには、手を噴流に略垂直に当てることが望ましいが、手を噴流に略垂直に当てるためには指先を上方に向ける必要があり、指先を上方に向けることで重力により使用者の手首側に水滴が移動するため、衣類が濡れたり、手首に水滴が残ってしまうという課題があった。
【０００７】
そこで本発明は、上記従来の課題を解決するものであり、手乾燥室へ手を挿入する際に指先を下方に向けやすく、噴流の運動エネルギーに加えて重力を利用でき、効率よく手乾燥を実施でき、かつ噴流の運動エネルギーを効率よく生かすために、手を噴流に略垂直に当てた際にも、重力により使用者の手首側に水滴が移動せず衣類が濡れたり、手首に水滴が残ることを防止できる手乾燥装置を提供することを目的とする。
【課題を解決するための手段】
【０００８】
そして、この目的を達成するために、本発明は、手を挿入できる開口を有する手乾燥室と、前記手乾燥室に設けられ、前記手乾燥室に挿入された手に向かって昇圧された高圧空気を噴流として吹出す複数の吹出し口と、空気を取り入れる吸込み口と、前記吸込み口と前記複数の吹出し口を連通する流路と、前記吸込み口と前記複数の吹出し口の間に設けられ、前記空気を昇圧して前記高圧空気を生み出す高圧空気発生手段とを備えてなる手乾燥装置において、前記複数の吹出し口が前記手乾燥室の上部に設けられ、前記複数の吹出し口から吹出す噴流の吹出し方向が手挿入側であり、前記複数の吹出し口より手挿入側の前記手乾燥室の上部の面が、手挿入側から前記手乾燥室の奥側に向かうに従い下方に傾斜していることを特徴とする手乾燥装置としたものであり、これにより所期の目的を達成するものである。
【発明の効果】
【０００９】
本発明によれば、手乾燥装置を使用する際に、手乾燥室上部の複数の吹出し口から吹出す噴流の吹出し方向が手挿入側であり、前記複数の吹出し口より手挿入側の前記手乾燥室の上部の面が、手挿入側から前記手乾燥室の奥側に向かうに従い下方に傾斜していることで、手乾燥室へ手を挿入する際に指先を下方に向けやすく、噴流の運動エネルギーに加えて重力を利用でき、効率よく手乾燥を実施でき、かつ噴流の運動エネルギーを効率よく生かすために、手を噴流に略垂直に当てた際にも、重力により使用者の手首側に水滴が移動せず衣類が濡れたり、手首に水滴が残ることを防止できる。
【図面の簡単な説明】
【００１０】
【図１】本発明の実施の形態１の手乾燥装置の斜視図
【図２】本発明の実施の形態１の手乾燥装置の断面を示す構成図
【図３】本発明の実施の形態１の手乾燥装置の流体素子ノズルの拡大断面を示す構成図
【図４】本発明の実施の形態２の手乾燥装置の断面斜視図
【図５】本発明の実施の形態２の手乾燥装置の可動ノズルの拡大斜視図
【図６】従来技術の一例を示す斜視図
【発明を実施するための形態】
【００１１】
本発明の請求項１記載の手乾燥装置は、手を挿入できる開口を有する手乾燥室と、前記手乾燥室に設けられ、前記手乾燥室に挿入された手に向かって昇圧された高圧空気を噴流として吹出す複数の吹出し口と、空気を取り入れる吸込み口と、前記吸込み口と前記複数の吹出し口を連通する流路と、前記吸込み口と前記複数の吹出し口の間に設けられ、前記空気を昇圧して前記高圧空気を生み出す高圧空気発生手段とを備えてなる手乾燥装置において、前記複数の吹出し口が前記手乾燥室の上部に設けられ、前記複数の吹出し口から吹出す噴流の吹出し方向が手挿入側であり、前記複数の吹出し口より手挿入側の前記手乾燥室の上部の面が、手挿入側から前記手乾燥室の奥側に向かうに従い下方に傾斜していることを特徴とする手乾燥装置である。これにより、手乾燥室へ手を挿入する際に指先を下方に向けやすく、噴流の運動エネルギーに加えて重力を利用でき、水滴を指先に移動させることができるので効率よく手乾燥を実施でき、かつ噴流の運動エネルギーを効率よく生かすために、手を噴流に略垂直に当てた際にも、重力により使用者の手首側に水滴が移動せず衣類が濡れたり、手首に水滴が残ることを防止できる。
【００１２】
また、手を挿入できる開口を有する手乾燥室と、前記手乾燥室に設けられ、前記手乾燥室に挿入された手に向かって昇圧された高圧空気を噴流として吹出す複数の吹出し口と、空気を取り入れる吸込み口と、前記吸込み口と前記複数の吹出し口を連通する流路と、前記吸込み口と前記複数の吹出し口の間に設けられ、前記空気を昇圧して前記高圧空気を生み出す高圧空気発生手段とを備えてなる手乾燥装置において、前記複数の吹出し口が前記手乾燥室の前記開口より下部に設けられ、前記複数の吹出し口から吹出す前記噴流の吹出し方向が手挿入側と反対側であり、前記複数の吹出し口の設けられた前記手乾燥室の前記開口より下部の面が、手挿入側から前記手乾燥室の奥側に向かうに従い下方に傾斜していることを特徴とするものであり、手に付着した水滴が重力により噴流が当たる手の下方に移動するため、吹出された噴流の力が効率よく水滴に作用することで、手に付着した水滴を効率よく剥離することができ、より少ないエネルギーで手乾燥を実施することができる。また、噴流の運動エネルギーを効率よく生かすために、手を噴流に略垂直に当てた際にも重力により水滴は指先側に移動するため使用者の手首側に水滴が移動せず衣類が濡れたり、手首に水滴が残ることを防止することができる。
【００１３】
また、吸込み口を手乾燥室の内壁面に設けたことを特徴とするものであり、吸込み口を手乾燥室の内壁面に設けることで、複数の吹出し口から吹出された噴流が手乾燥室外へ流出するのを減少させることができるため、複数の吹出し口から吹出された噴流が手乾燥室外へ流出する際に空気と一緒に手乾燥室外へ飛散する水を減少させ、使用者に水がかかるのを防止することができる。
【００１４】
また、複数の吹出し口と対向する位置に水受け手段を設けたことを特徴とするものであり、複数の吹出し口から吹出された噴流により手から吹き飛ばされた水滴を水受け手段により受け止めることができるため、手乾燥室外へ水滴が飛散するのを防止することができる。
【００１５】
また、水受け手段が複数の吹出し口から吹出す噴流の吹出し方向に対して略垂直に設けられたことを特徴とするものであり、複数の吹出し口から吹出した噴流により手から吹き飛ばされた水滴を水受け手段により受け止めることができるため、手乾燥室外へ水滴が飛散するのを防止することができる。
【００１６】
また、複数の吹出し口から吹出す噴流の吹出し方向が、手乾燥装置の両側壁面の中央面に略集中するように前記複数の吹出し口を配置したことを特徴とするものであり、複数の噴流の吹出し方向が、手乾燥装置の両側壁面の中央面に略集中することで、噴流により手から吹き飛ばされた水滴も中央面付近に集まるため、手乾燥室外へ水滴が飛散するのを防止することができる。また、使用者が手乾燥の際に中央面近傍で手もみをした場合でも、手もみをする手に噴流が集中するため効率よく手乾燥を行うことができる。
【００１７】
また、複数の吹出し口が手乾燥装置の両側壁面の中央面を折り返し面としてＶ字形状に配置されたことを特徴とするものであり、複数の噴流の吹出し方向が、手乾燥装置の両側壁面の中央面に略集中することで、噴流により手から吹き飛ばされた水滴も中央面付近に集まるため、手乾燥室外へ水滴が飛散するのを防止することができる。また、使用者が手乾燥の際に中央面近傍で手もみをした場合でも、手もみをする手に噴流が集中するため効率よく手乾燥を行うことができる。
【００１８】
また、複数の吹出し口が手乾燥装置の両側壁面の中央面に対して対称に配置されたことを特徴とするものであり、複数の噴流の吹出し方向が、手乾燥装置の両側壁面の中央面に略集中することで、噴流により手から吹き飛ばされた水滴も中央面付近に集まるため、手乾燥室外へ水滴が飛散するのを防止することができる。また、使用者が手乾燥の際に中央面近傍で手もみをした場合でも、手もみをする手に噴流が集中するため効率よく手乾燥を行うことができる。
【００１９】
また、複数の吹出し口から吹出す噴流が振動することを特徴とするものであり、複数の吹出し口から吹出す噴流が振動することで広範囲に噴流を送ることができるため、複数の吹出し口の数を減らすことができ、風速を維持したまま風量を低減することで消費電力を低減することができる。
【００２０】
また、噴流の振動方向が手挿入方向に対して略垂直であることを特徴とするものであり、手の任意の位置での、手の挿入方向と略垂直方向一列の水滴を吹き飛ばすことができるため、手を引き抜く際に手首側から指先方向に水滴を移動させることができるため、乾きムラなく効率よく手乾燥を行うことができる。
【００２１】
また、噴流の振動数が２０Ｈｚ以上であることを特徴とするものであり、噴流の振動数が２０Ｈｚ以上であれば、手を引き抜く速度より充分速く噴流が振動するため、手全体に噴流を接触させることができ、効率よく手乾燥が実施できる。
【００２２】
また、複数の吹出し口と高圧空気発生手段との間に、可動部材で構成されるノズルと、前記ノズルを振動させるための駆動手段で構成された可動ノズルを設けたことを特徴とするものであり、複数の吹出し口から吹出す噴流が振動することで広範囲に噴流を送ることができるため、複数の吹出し口の数を減らすことができ、風速を維持したまま風量を低減することで消費電力を低減することができる。また、噴流の振動数を駆動手段により容易に制御することができる。
【００２３】
また、複数の吹出し口と高圧空気発生手段との間に、高圧空気を取り入れる流入口と、高圧空気の流れに対し垂直方向の断面が略長方形で外部に向けて拡大する流出口と、前記流入口から前記流出口を連通する略長方形の主流路と、前記主流路の長辺側の片面から分岐して、反対側の前記主流路の長辺側の面に連通する循環風路部とを備えて、前記流出口から吹出す噴流を前記主流路の短辺方向に振動させる流体素子ノズルを設けたことを特徴とするものであり、複数の吹出し口から吹出す噴流が振動することで広範囲に噴流を送ることができるため、複数の吹出し口の数を減らすことができ、風速を維持したまま風量を低減することで消費電力を低減することができる。また、可動部がないため可動部の劣化などがなく、長期間安定して噴流振動を実現することができる。また駆動手段が不要なため装置をコンパクトにすることができる。
【００２４】
また、流体素子ノズルの循環風路部が、手乾燥装置の本体内に配置されたことを特徴とするものであり、流体素子ノズルの循環風路部が、手乾燥装置の本体内に配置されたことで、外部からの衝撃などにより循環風路部が損傷することを防止することができるため、長期間安定して噴流振動を実現することができる。
【００２５】
また、流体素子ノズルの循環風路部が、手乾燥装置の表面パネルと高圧空気発生手段との間に配置されたことを特徴とするものであり、流体素子ノズルの循環風路部が、手乾燥装置の表面パネルと高圧空気発生手段との間に配置されたことで、高圧空気発生手段から生じる騒音が表面パネルに伝わるのを循環風路部が物理的に障害物となり抑制するため、騒音を低減することができる。
【００２６】
以下、本発明の実施の形態について図面を参照しながら説明する。
【００２７】
（実施の形態１）
図１に手乾燥装置１１の斜視図を、図２に手乾燥装置１１の断面図を示すように、手乾燥装置１１は、手を挿入できる開口３２を有する手乾燥室１２と、手乾燥室１２の内壁面の上部に設けられ、手乾燥室１２に挿入された手に向かって昇圧された高圧空気を噴流１３として手挿入側に上方から下方に吹出す複数の吹出し口１５と、手挿入側から手乾燥室１２の奥側に向かうに従い下方に傾斜して設けられた、複数の吹出し口１５より手挿入側の手乾燥室１２の上部斜面３１と、空気を取り入れる吸込み口１６と、吸込み口１６と複数の吹出し口１５を連通する流路１７と、吸込み口１６と複数の吹出し口１５の間に設けられ、空気を昇圧して高圧空気を生み出す高圧空気発生手段１８とを備え、複数の吹出し口１５と高圧空気発生手段１８との間に、噴流１３を手挿入方向１４に対して略垂直の噴流振動方向１９に振動数１００Ｈｚで振動させる流体素子ノズル２０を設けた構成である。
【００２８】
複数の吹出し口１５は、それぞれの吹出し口１５から吹出す噴流１３が手乾燥装置１１の両側の側壁面２２の中央面２３に略集中するように、中央面２３を折り返し面として中央面２３に対して対称にＶ字形状に配置されている。また、複数の吹出し口１５と対向する位置に、複数の吹出し口１５から吹出す噴流１３の吹出し方向に対して略垂直に水受け手段２１が設けられている。
【００２９】
また、流体素子ノズル２０は図３にその拡大断面図を示すように、高圧空気を取り入れる流入口２４と、高圧空気の流れに対し垂直方向の断面が略長方形で外部に向けて拡大する流出口２５と、流入口２４から流出口２５を連通する略長方形の主流路２６と、主流路２６の長辺側の面ａ２７から分岐して、反対側の主流路２６の長辺側の面ｂ２８に連通する循環風路部２９とを備えた構成となっており、面ａ２７、面ｂ２８の圧力差により循環風路部２９の内部の気体を駆動し、その結果圧力差が反転し、再び気体が駆動されることで流出口２５から吹出す噴流１３を主流路２６の短辺方向である噴流振動方向１９に振動させるものである。
【００３０】
また、流体素子ノズル２０の循環風路部２９は、図２に示すように手乾燥装置１１の本体内である表面パネル３０と高圧空気発生手段１８との間に配置されている。ここで、高圧空気とは大気圧以上の圧力の空気を表し、例えば３から１２ｋＰａ程度であり、高圧空気を発生する高圧空気発生手段１８としてはブロワなどのファンが挙げられる。また、噴流１３としては、風速５０ｍ／ｓから１３０ｍ／ｓ程度の高速風が望ましい。また、ここでは一例として噴流の振動数を１００Ｈｚとしたが、２０Ｈｚ以上であれば噴流振動の効果を十分に得ることができる。
【００３１】
このような構成によれば、手乾燥装置を使用する際に、手乾燥室へ手を挿入する際に指先を下方に向けやすく、噴流の運動エネルギーに加えて重力を利用でき、効率よく手乾燥を実施でき、かつ噴流の運動エネルギーを効率よく生かすために、手を噴流に略垂直に当てた際にも、重力により使用者の手首側に水滴が移動せず衣類が濡れたり、手首に水滴が残ることを防止できる。
【００３２】
また、吸込み口を手乾燥室の内壁面に設けたことで、複数の吹出し口から吹出された噴流が手乾燥室外へ流出するのを減少させることができるため、複数の吹出し口から吹出された噴流が手乾燥室外へ流出する際に空気と一緒に手乾燥室外へ飛散する水を減少させ、使用者に水がかかるのを防止することができる。
【００３３】
また、複数の吹出し口と対向する位置に、複数の吹出し口から吹出す噴流の吹出し方向に対して略垂直に水受け手段を設けたことで、複数の吹出し口から吹出された噴流により手から吹き飛ばされた水滴を水受け手段により受け止めることができるため、手乾燥室外へ水滴が飛散するのを防止することができる。ここで、水受け手段の表面が滑らかであれば、噴流が水受け手段に衝突する際に生じる騒音を低減することができる。
【００３４】
また、複数の吹出し口が、それぞれの吹出し口から吹出す噴流が手乾燥装置の両側壁面の中央面に略集中するように、中央面を折り返し面として中央面に対して対称にＶ字形状に配置されているため、複数の噴流の吹出し方向が、手乾燥装置の両側壁面の中央面に略集中することで、噴流により手から吹き飛ばされた水滴も中央面付近に集まるため、手乾燥室外へ水滴が飛散するのを防止することができる。また、使用者が手乾燥の際に中央面近傍で手もみをした場合でも、手もみをする手に噴流が集中するため効率よく手乾燥を行うことができる。
【００３５】
また、複数の吹出し口から吹出す噴流が振動することで広範囲に噴流を送ることができるため、複数の吹出し口の数を減らすことができ、風速を維持したまま風量を低減することで消費電力を低減することができる。
【００３６】
また、噴流の振動方向が手挿入方向に対して略垂直であることで、手の任意の位置での、手の挿入方向と略垂直方向一列の水滴を吹き飛ばすことができるため、手を引き抜く際に手首側から指先方向に水滴を移動させることができるため、乾きムラなく効率よく手乾燥を行うことができる。
【００３７】
また、噴流の振動数が２０Ｈｚ以上であることで、手を引き抜く速度より充分速く噴流が振動するため、手全体に噴流を接触させることができ、効率よく手乾燥が実施できる。
【００３８】
また、流体ノズルを用いることで、複数の吹出し口から吹出す噴流が振動することで広範囲に噴流を送ることができるため、複数の吹出し口の数を減らすことができ、風速を維持したまま風量を低減することで消費電力を低減することができる。また、可動部がないため可動部の劣化などがなく、長期間安定して噴流振動を実現することができる。また駆動手段が不要なため装置をコンパクトにすることができる。
【００３９】
また、流体素子ノズルの循環風路部が、手乾燥装置の表面パネルと高圧空気発生手段との間に配置されたことで、高圧空気発生手段から生じる騒音が表面パネルに伝わるのを循環風路部が物理的に障害物となり抑制するため、騒音を低減することができる。また、手乾燥装置の本体内に配置されたことで、外部からの衝撃などにより循環風路部が損傷することを防止することができるため、長期間安定して噴流振動を実現することができる。
【００４０】
（実施の形態２）
図４に手乾燥装置４１の断面斜視図示すように、手乾燥装置４１は、手を挿入できる開口５６を有する手乾燥室４２と、手乾燥室４２の内壁面の開口５６より下部に設けられ、手乾燥室４２に挿入された手に向かって昇圧された高圧空気を噴流４３として、手挿入側と反対方向で、下方から上方に吹出す複数の吹出し口４５と、手挿入側から手乾燥室４２の奥側に向かうに従い下方に傾斜し、複数の吹出し口４５の設けられた手乾燥室１２の開口５６より下部の面である下部斜面５５と、空気を取り入れる吸込み口４６と、吸込み口４６と複数の吹出し口４５を連通する流路４７と、吸込み口４６と複数の吹出し口４５の間に設けられ、空気を昇圧して高圧空気を生み出す高圧空気発生手段４８とを備え、複数の吹出し口４５と高圧空気発生手段４８との間に、噴流４３を手挿入方向４４に対して略垂直の噴流振動方向４９に振動数２０Ｈｚで振動させる可動ノズル５０を設けた構成である。
【００４１】
また、複数の吹出し口４５と対向する位置に、水受け手段５１が設けられている。また、可動ノズル５０は図５にその拡大斜視図を示すように、可動部材で構成されるスイングノズル５２と、スイングノズル５２を振動させるための駆動手段であるモータ５３とモータ５３で生じた回転運動をスイングノズル５２の直線往復運動に変換するクランク５４で構成されている。
【００４２】
ここで、高圧空気とは大気圧以上の圧力の空気を表し、例えば３から１２ｋＰａ程度であり、高圧空気を発生する高圧空気発生手段４８としてはブロワなどのファンが挙げられる。また、噴流４３としては、風速５０ｍ／ｓから１３０ｍ／ｓ程度の高速風が望ましい。また、ここでは一例として噴流の振動数を２０Ｈｚとしたが、２０Ｈｚ以上であれば噴流振動の効果を十分に得ることができる。
【００４３】
このような構成によれば、手乾燥装置を使用する際に、手に付着した水滴が重力により噴流が当たる手の下方に移動するため、吹出された噴流の力が効率よく水滴に作用することで、手に付着した水滴を効率よく剥離することができ、より少ないエネルギーで手乾燥を実施することができる。また、噴流の運動エネルギーを効率よく生かすために、手を噴流に略垂直に当てた際にも重力により水滴は指先側に移動するため使用者の手首側に水滴が移動せず衣類が濡れたり、手首に水滴が残ることを防止することができる。
【００４４】
また、複数の吹出し口から吹出す噴流が振動することで広範囲に噴流を送ることができるため、複数の吹出し口の数を減らすことができ、風速を維持したまま風量を低減することで消費電力を低減することができる。また、噴流の振動数を駆動手段により容易に制御することができる。
【産業上の利用可能性】
【００４５】
本発明にかかる手乾燥装置は、挿入した手に付着した水分を乾かすことができるため、洗面所やトイレ等で手を洗い、濡れた手を乾燥させる装置等に有効であり、また、一般的に液体によって濡れたものを乾燥させる用途としても適用できる。
【符号の説明】
【００４６】
１１    手乾燥装置
１２    手乾燥室
１３    噴流
１４    手挿入方向
１５    吹出し口
１６    吸込み口
１７    流路
１８    高圧空気発生手段
１９    噴流振動方向
２０    流体素子ノズル
２１    水受け手段
２２    側壁面
２３    中央面
２４    流入口
２５    流出口
２６    主流路
２７    面ａ
２８    面ｂ
２９    循環風路部
３０    表面パネル
３１    上部斜面
３２    開口
４１    手乾燥装置
４２    手乾燥室
４３    噴流
４４    手挿入方向
４５    吹出し口
４６    吸込み口
４７    流路
４８    高圧空気発生手段
４９    噴流振動方向
５０    可動ノズル
５１    水受け手段
５２    スイングノズル
５３    モータ
５４    クランク
５５    下部斜面
５６    開口
１０１  手乾燥装置
１０２  挿入口
１０３  手乾燥室
１０４  高圧空気発生部
１０５  水受け部
【図１】
2011130944.tif 000003
【図２】
2011130944.tif 000004
【図３】
2011130944.tif 000005
【図４】
2011130944.tif 000006
【図５】
2011130944.tif 000007
【図６】
2011130944.tif 000008